(57)【要約】【課題】        従来提供されている転落者脱出補助装置は法面にロープやネットを張る方法であって、法面の景観、遮水シートの保護及び水底の滑る状態まで考慮されていない。本考案では、法面や水辺の景観を保ち、遮水シートを太陽光線から保護し、転落者が水中で足を滑らせることなく、法面を這い上がれるような救命ネットを提供する。【解決手段】  合成樹脂繊維製格子状の網体の上端を法肩にアンカーで固定し、下端を水底の法尻から１メートル程度の長さに敷設した滑り止め効果を有する重りに装着して法面に張り、下垂性の蔦の種子を包含する肥料および腐葉土の入った土嚢を法肩に埋め込み、法面に網体を張ると共に網体に蔦を絡ませて環境保全、遮水シートの保護及び転落者の救助用具にする。【選択図】図１
0003131202.tif 000002
【実用新案登録請求の範囲】
【請求項１】
溜池、貯水池、遊水地、用水路、河川等の法面の崩壊を防ぎ、法面の景観を保つための植生補助となり、万一水中に転落者が発生した場合に救命用具となるネットであって、
合成樹脂繊維製格子状の網体の上端を法肩にアンカーで固定し、下端を水底の法尻から１メートル程度の長さに敷設した滑り止め効果を有する重りに装着して網体を法面に張り、
下垂性の蔦の種子を包含する肥料および腐葉土の入った土嚢を法肩に埋め込み、
法面に網体を張ると共に網体に蔦を絡ませて環境保全及び転落者の救助用具となることを特徴とする法面の景観を保つ転落者救命ネット。
【考案の詳細な説明】
【技術分野】
【０００１】  本考案は、溜池、貯水池、遊水地、用水路、河川等の法面の崩壊を防ぎ、法面の景観を保つための植生補助となり、万一水中に転落者が発生した場合に救命用の用具となるネットに関している。
【背景技術】
【０００２】  降雨時の災害防止のため住宅地近傍に溜池、貯水池、遊水地を建設している。止水のため、法面から水底全体に合成樹脂シートや合成ゴムシート等の遮水シートを敷設している。ゴルフ場における人工池も同様に遮水シートを敷設するのが一般的である。用水路や河川等の法面も自然環境を守るため、コンクリート法止め工法としての植生シート使用が増えている。
【考案の開示】
【考案が解決しようとする課題】
【０００３】  溜池、貯水池、遊水地、用水路、河川等の法面の景観と保護は大切であり、植物の植生が必要である。ただ種子を法面に植えても根付かず、合成樹脂シート等で法面保護をした場合は植生困難である。
一方、ゴルフ場の人工池に転落したキャディの溺死事件や、防護柵を乗り越えて溜池、貯水池、遊水地等への転落溺死事件等が生じている。用水路や河川では更に危険が多い。合成樹脂シートや合成ゴムシート等の遮水シートに水が付くと滑りやすく、遮水シートのうえに水垢や苔が付くと更に滑りやすくなる。このため、水中に落ちた人は掴まる物もなく足を滑らせて溺れてしまう。しかし、従来提供されている転落者脱出補助装置は法面にロープやネットを張る方法であって、水底まで考慮されていないため、完全な脱出補助装置としての役目を果たしていない。そこで、本考案では、法面や水辺の景観を保ちながら、転落者が水中で足を滑らせることなく、法面を這い上がれるような救命ネットを提供しようとするものである。
法面に敷設された遮水シートは太陽光線で劣化する。太陽光線が直接遮水シートに当たらないように法面を緑化し、網体の救命ネットを植物で覆い隠すと、自然の景観を保つことができる。そのためには、植生困難な遮水シート面を覆う植物であり網体が植生補助となる方法が求められている。
【課題を解決するための手段】
【０００４】  遮水シートの敷設は上端を法肩の地中深くに埋め込んでアンカーで固定する方法が取られている。
本考案では、アンカーで法肩に固定された遮水シートの前方に腐葉土や肥料を混入した土嚢を埋めてヘデラ属の蔦の種子や苗を植生する。この蔦のつるは、上端が法肩にアンカーで固定され、法面に沿って法尻まで垂下した格子状に形成された網体の救命ネットに絡まって垂下する。
網体を法面に張るには網体の端末にブロック状の重りを付けて水中に垂下する方法が一般的であった。この方法では、重りが法尻にあり水底は合成樹脂シートや合成ゴムシート等の遮水シートであるため、水中に転落した人が水底に足を着けて立ち上がると足が滑って立つことができず、網体に掴まることができないので、本考案では、重りの形状と敷設位置を考慮している。
本考案になる重りは法尻より池の中心に向かって１メートル程度の長さを持たせているので、水中に転落しても重りの上に立つことができる。重りの形状としては平板状、柵状、ブロック状、帯状等各種の形状が考えられる。素材としては、コンクリート、砕石を埋め込んだコンクリート板、合成樹脂、砕石を埋め込んだ合成樹脂、木材、鉱石、金属等各種の素材が利用できる。
蔦が覆った法面の水際迄を緑化するが、水中での植生は別である。そこで、腐葉土、砂利、水草の種子を入れた容器を水底に敷設することで合成樹脂シートや合成ゴムシート等の遮水シートの上でも水草の植生が可能になる。
【考案の効果】
【０００５】  本考案の効果は下記の通りである。
［イ］救命ネットの敷設が容易である。
［ロ］水中への転落者が水底で足を滑らすことがなくなり、救命ネットにより、自力で水中より脱出できる。
［ハ］蔦の植生と救命ネットが合成樹脂シートや合成ゴムシート等の遮水シートの太陽光線による劣化を防ぐ。
［ニ］法面や水辺の植生補助となる。
［ホ］自然の景観を保つことができる。
【考案を実施するための最良の形態】
【０００６】  以下、本考案の実施の形態について説明する。
【実施例１】図１及び図２により本考案の救命ネット敷設状態を説明する。
本考案の救命ネットは、網体（１）、重り（２）、アンカー（３）、土嚢（４）より構成され、池全体に張った遮水シート（６）の法面を覆うように網体（１）を法肩のアンカー（３）より水底（８）に向かって垂下する。水底（８）には重り（２）が敷設してある。重り（２）は法尻より１メートル程度の長さの柵状であり、水中への転落者が水底で滑らなくてすむ。格子状や平板状とすることもできる。素材としては、コンクリートに砕石を混入して平板や棒状にしたり、合成樹脂を利用したり、金属や木材を利用することもできる。
土嚢（４）には腐葉土、肥料、ヘデラ属の蔦（５）の種子または苗等が入っている。蔦（５）のつるは網体（１）に絡まりながら水面（７）に向かって垂下する。蔦の（５）の葉が法面を覆い、水辺と斜面の景観を保つ。網体（１）は縦紐と横紐で格子状に網目を構成し、１０センチメートル間隔程度が適当である。【０００７】  図３（ａ）、（ｂ）、（ｃ）は重り（２）の作成例である。（ａ）は角材を柵状に形成した例であり、（ｂ）は格子状に形成した例であり、（ｃ）は表面に凹凸を付けてコンクリートを平板状に形成した例である。
重り（２）の素材には金属、コンクリート、合成樹脂等の重量のある材料を使用することで水底（８）に重り（２）を敷設しても浮き上がることはない。
【産業上の利用可能性】
【０００８】  本考案になる救命ネットは、溜池、貯水池、遊水地、用水路、河川等の法面への使用に限らず温暖化防止用植生に使用できる。
【図面の簡単な説明】
【０００９】
【図１】救命ネットの敷設状態の説明図
【図２】救命ネットの敷設状態の断面図
【図３】（ａ）、（ｂ）、（ｃ）は重りの形状を説明する斜視図
【符号の説明】
【００１０】        １  網体
２  重り
３  アンカー
４  土嚢
５  蔦
６  遮水シート
７  水面
８  水底
【図１】
0003131202.tif 000003
【図２】
0003131202.tif 000004
【図３】
0003131202.tif 000005